(57)【特許請求の範囲】
【請求項１】
形成されたキーウェイを有する回転可能なキープラグを伴う円筒状の錠において使用するキーであって、前記キーは、少なくとも前記キーブレードの長さの一部に沿って延在する長手形状の溝（１２２）を有する長尺で実質的に平坦なキーブレードであって、前記平坦なキーブレードの側面（１２３）に対して実質的に平行である前記溝の内壁（１２４）を伴うキーブレードと、
前記キーブレードのリッジ部（１２８）に隣接しかつ内側のアンダーカット部（１２９）を有する長手形状溝（１２２）であって、前記リッジ部の外側は前記キーブレードの前記側面（１２３）の一部を形成する長手形状溝と、を備え、
前記長手方向溝のアンダーカット部（１２９）は、前記リッジ部の内側の最奥部において、キーブレード（１２０）の前記側面（１２３）に対して平行な方向において、対向する側壁部（１３２，１３３）と、実質的に平坦または僅かに湾曲した最も低い横端壁（１３４）とを有する長手方向のポケット（１３５）へと延在し、
キーブレードの下方縁部（１２７）に対して実質的に平行であり、かつキーブレードの中央平面（Ａ）における方向で、上方に向けて面し、かつ前記キーブレードの前記側面の一平面において測定された、前記リッジ部（１２８）の垂直方向の寸法（ｈ）は、前記側面に隣接する前記アンダーカット溝の最も小さな幅（ｗ）の１／２よりも大きく、前記最も小さい幅は、前記長手溝の前記内壁（１２４）に対する垂直な突出として測定されていることを特徴とするキー。
【請求項２】
前記リッジ部（１２８）の前記垂直方向の寸法（ｈ）は、前記端壁（１３４）と前記下方端面（１２７）との間の距離より大きいことを特徴とする請求項１に記載のキー。
【請求項３】
前記ポケット(１３５)は、実質的に長方形の断面を有していることを特徴とする請求項１に記載のキー。
【請求項４】
前記対向する側壁部（１３２，１３３）は、湾曲していることを特徴とする請求項１に記載のキー。
【請求項５】
前記ポケット(１３５)の前記対向する側壁部（１３２，１３３）は、前記平坦なキーブレード（１２０）の前記側面(１２３）に対して実質的に平行であることを特徴とする請求項１に記載のキー。
【請求項６】
前記ポケットの前記最下方の横端壁（１３４’，１３４’’）は、前記ポケット(１３５)の幅の１／２より大きい径をもって湾曲し、前記幅は前記キーブレード（１２０）の前記側面(１２３)に対して垂直方向に測定されることを特徴とする請求項１に記載のキー。
【請求項７】
前記対向する側壁部（１３２）と前記最下方横端壁（１３４）の少なくとも一方には、不規則な面部（１３２ｃ，１３４ｃ）が設けられていることを特徴とする請求項１に記載のキー。
【請求項８】
前記長手形状溝（１２２）の前記内壁（１２４）は、前記ポケットの前記対向する側壁部（１３２，１３３）の１つに結合していることを特徴とする請求項１に記載のキー。
【請求項９】
前記リッジ部（１２８）の前記垂直方向の寸法（ｈ）は、前記最も小さい幅（ｗ）以上であることを特徴とする請求項１に記載のキー。
【請求項１０】
コード付けられた凹所がカットされるのを許容するように構成された連続する上縁部を伴うキーブランクを構成することを特徴とする請求項１に記載のキー。
【請求項１１】
前記キーブレード錠に前記コードを形成するように、前記リッジ部（１２８）へと切り込まれたコード付けられた凹所（１０２ａ・・・１０２ｅ）を有し、前記サイドコード凹所は、関連する錠において、少なくとも１つのサイドタンブラー（１０５）と協働するように構成されていることを特徴とする請求項１に記載のキー。
【請求項１２】
前記サイドコードを形成する前記コード凹所（１０２ａ・・・１０２ｅ）は、長手方向への波状のコードパターンを構成することを特徴とする請求項１１に記載のキー。
【請求項１３】
前記サイドコード凹所（１０２ａ・・・１０２ｅ）が、全て、前記リッジ部（１２８）の外面（１２３）から前記アンダーカット形状溝（１２２）の前記長手方向のポケット（１３５）へと到達するように、前記サイドコード凹所は、前記リッジ部の素材の厚さ全体に切り込まれていることを特徴とする請求項１１に記載のキー。
【請求項１４】
前記サイドコード凹所（１０２ａ・・・１０２ｅ）は、前記リッジ部（１２８）の上縁から、前記上方エッジと前記長手方向に延在しているポケット（１３５）の最下方部との間の種々のレベルへと切り込まれていることを特徴とする請求項１１に記載のキー。
【請求項１５】
前記サイドコード凹所（１０２ａ・・・１０２ｅ）は、異なるレベルの数で配置された下側底部を伴う凹面を形成し、各々がコードを表すことを特徴とする請求項１１に記載のキー。
【請求項１６】
前記異なるレベルは、前記リッジ部（１２８）の上縁(１０２ｆ)での最上のレベルを含むことを特徴とする請求項１５に記載のキー。
【請求項１７】
前記異なるレベルの数は、少なくとも３であることを特徴とする請求項１５に記載のキー。
【請求項１８】
前記長手形状溝と前記隣接する長手方向のポケット（１３５）の前記内壁（１２４）は、前記キーブレードの厚さの１／２より大きい、前記キーブレード（１２０）の前記側面（１２３）からの深さに配置されていることを特徴とする請求項１に記載のキー。
【請求項１９】
前記実質的に平坦なキーブレードは、前記長手形状溝が配置された相対的に広く低い部分（１４０，１４０’）と、相対的に狭い上方部を有していることを特徴とする請求項１に記載のキー。
【請求項２０】
前記実質的に平坦なキーブレード（１２０’’）は、上方および下方部（１５１’’，１５０’’）を有し、各々は前記最奥部の長方向のポケット（１３５’’）を伴うアンダーカット溝（１２２’’）を有し、
前記キーは対称であり、関連する前記円筒状の錠のキーウェイに挿入され得ることを特徴とする請求項１に記載のキー。
【発明の詳細な説明】
【技術分野】
【０００１】
本発明は、形作られたキー穴やキー溝を有する回転可能なキープラグを有するシリンダーロックにおいて使用するためのキーに関し、前記キーは、
平坦なキーブレードの側面に対して実質的に平行である前記溝の内壁と共に、少なくともキーブレードの全長の少なくとも一部に沿って延在している長手形状の溝を有する、長くて実質的に平坦なキーブレードを備え、
前記長手形状の溝は、キーブレードの頂部（稜線、突起部）に隣接し、かつ内側のアンダーカット部を有し、前記頂部の外側は、キーブレードの側面を形成している。
【背景技術】
【０００２】
アンダーカット溝を有するそのようなキーは、すでに知られている。例えば、米国特許第５，７１５，７１７号明細書（特許文献１）又は特許文献２（米国特許第５，６４０，８６５号明細書）。そのようなキーは、それらが改善されたセキュリティを提供するという点において非常に使い易いということが証明された。そのキーの形状は、従来のキーとは全く異なっており、そのようなキーを複製することはかなり困難である。さらに、それらは断面形状の大きな変化を許容し、それは大きな利点である。
【先行技術文献】
【特許文献】
【０００３】
【特許文献１】米国特許第５，７１５，７１７号明細書
【特許文献２】米国特許第５，６４０，８６５号明細書
【特許文献３】米国特許第４，７５６，１７７号明細書
【特許文献４】国際特許出願公開ＷＯ２００５／０２８７８９号
【発明の概要】
【発明が解決しようとする課題】
【０００４】
しかしながら、やがて、さらなる特徴的な形状と、より多くの可能な変化が絶えず必要とされる。
【０００５】
本発明のさらなる目的は、鍵鍛冶工具でそのような形状のキーを複製することをさらに困難にすることである。
【課題を解決するための手段】
【０００６】
これらの目的を達成するため、本願発明には、アンダーカット溝と、対向側壁と実質的に平坦または僅かにカーブし、かつ実質的にキーブレードの下方の縁部と実質的に平行であり、かつキーブレードの中央平面（Ａ）における方向で、上方に向けて面する最も低い横端壁を有する細長いポケットへとリッジ部の内側の最奥部において実質的に前記キーブレードの側面と平行する方向に延在する部分とが設けられている。リッジ部の内壁は、キーブレードの側面に対して実質的に平行であっても良く、その結果、リッジ部はキーブレードの側面と平行に延在する重く強い素材を形成する。リッジ部の内側のポケットは、実質的に長方形の断面、相対的に大きな湾曲を有する実質的に円形の断面、またはいくつかの他の形状を有しても良い。
【発明の効果】
【０００７】
このようにして、キーブレードの素材は、最善の方法に使用され、かつ新たな種類の形状が得られ、さらに特に、スタンピングやフライス加工によってそれらが形成されるならば、そのようなキーを複製するのは非常に困難になる。切削ディスクは、通常、十分ではない。むしろ、溝のポケットのような延在の正確な寸法を確保するためにブローチ加工工具を使用すること、およびそのような工具の十分に制御された使用が必要になる。これは、キー制御にとって非常に重要であり、かつキーの消費者に対して高いセキュリティになる。
【０００８】
アンダーカット溝の構成で、さらに以下に説明されるように、多くの効果が同時に得られる。
【０００９】
他の好ましい特徴は、従属する請求項に述べられており、それらは、詳細な記載から以下に明らかになるであろう。
【００１０】
本発明は、添付の図面を参照することにより以下により十分に記載されてるであろう。
【図面の簡単な説明】
【００１１】
【図１】従来の鍵穴を示す図である。
【図２】従来のキーを示す図である。
【図３】図２に示されたキーの側面図である。
【図４】挿入されたキーを伴う従来の鍵穴の断面図である。
【図５】従来のキーブレードの断面図である。
【図６】波状のコードパターンを伴う実施形態のための本実施形態に係る形状付けられたキーの側面図である。
【図７】図６のキーの断面図である。
【図８】キープラグとサイドタンブラー（side tumbler）を伴う組み立てられた鍵穴の断面図である。
【図９】キー穴と、キー穴へ挿入された本発明のキーの同様の図面である。
【図１０】本発明に係る形状付けられたキーの追加の実施形態の断面図である。
【図１１】本発明に係る形状付けられたキーの追加の実施形態の断面図である。
【図１２】本発明に係る形状付けられたキーの追加の実施形態の断面図である。
【図１３】本発明に係る形状付けられたキーの追加の実施形態の断面図である。
【図１４】本発明に係る形状付けられたキーの追加の実施形態の断面図である。
【図１５】本発明に係る形状付けられたキーの追加の実施形態の断面図である。
【図１６】本発明に係る形状付けられたキーの追加の実施形態の断面図である。
【図１７】本発明に係る形状付けられたキーの追加の実施形態の断面図である。
【図１８】本発明に係る形状付けられたキーの追加の実施形態の断面図である。
【図１９】本発明に係る形状付けられたキーの追加の実施形態の断面図である。
【図２０】本発明に係る形状付けられたキーの追加の実施形態の断面図である。
【図２１】本発明に係る形状付けられたキーのさらに変更を加えた実施形態の同様の断面図である。
【図２２】本発明に係る形状付けられたキーのさらに変更を加えた実施形態の同様の断面図である。
【図２３】本発明に係る形状付けられたキーのさらに変更を加えた実施形態の同様の断面図である。
【図２４】本発明に係る形状付けられたキーのさらに変更を加えた実施形態の同様の断面図である。
【図２５】本発明に係る形状付けられたキーのさらに変更を加えた実施形態の同様の断面図である。
【図２６】本発明に係る形状付けられたキーのさらに変更を加えた実施形態の同様の断面図である。
【図２７】本発明に係る形状付けられたキーのさらに変更を加えた実施形態の同様の断面図である。
【図２８】本発明に係る形状付けられたキーのさらに変更を加えた実施形態の同様の断面図である。
【図２９】本発明に係る形状付けられたキーのさらに変更を加えた実施形態の同様の断面図である。
【図３０】本発明に係る形状付けられたキーのさらに変更を加えた実施形態の同様の断面図である。
【図３１】本発明に係る形状付けられたキーのさらに変更を加えた実施形態の同様の断面図である。
【発明を実施するための形態】
【００１２】
図１ないし図５は、特許文献１に示されるシステムのように、従来の鍵穴および側面におけるアンダーカット形状の溝を有するキーブレードを伴うキーシステムを示している。鍵穴１０は、ハウジングの円筒状の穴に適合する回転可能なキープラグ１２を伴うハウジングを有する種類のものである。キープラグ１２には、中央の細長いキーウェイ、または上縁に従来の凹所２１が設けられた関連キー２０に対応する断面外形を有するキー穴１３がある。図３に表されるように、キーも把持部２４aを有している。
【００１３】
鍵溝の方向は、図４における断面図からより容易に理解される。キープラグ１２は、ハウジング１１内で回転可能であり、かつ上側および下側のロッキングピン１４ａ，１４ｂの長手方向の列によって、回転に抗してロックされ得る。そのような各ロッキングピンの各ペアーは、キープラグ１２とハウジング１１との間の境界面（shear line）で、それらの当接端面と共に位置付けられ得る。この位置において、図４に示すように、キープラグ１２は回転可能である。ここで、当技術分野で周知のように、ロッキングピンは、適正にキー２０を複製することによって、ロックを解除するように位置付けられている。
【００１４】
キー２０の完全な外形（従来のデザインの）は、前述の特許文献１に開示されているように、図５に描かれている。従って、この従来技術のキーは、キーブレードの厚さの１／２よりも僅かに大きい深さでキーブレードに沿って長手方向に延在している細長い外形の溝２２を有している。図５では、キーブレードの中央平面は、“Ａ”で示されている。細長い溝２２は、内壁２４および対向する壁２５および２６を有している。これらの対向する壁の1つは、キーブレードのベースエッジ２７に最も近接して配置された壁または面が、アンダーカットされ、内壁または面２４に向けて内側に面するように傾けられている平面に延在している。アンダーカット溝２２の低い側壁２６は、リッジ部２８の内壁を形成し、キーブレードの前述の側面２３の部分を形成する。
【００１５】
図２，３，４および５に示される従来のキーブレードも、キーの他側（図５の左）に２つのさらに細長い溝３０および３１を有している。
【００１６】
細長い溝２２のアンダーカット部２９は、前述の特許文献１で述べられたように、多くの効果を有しており、特に可能な外形変更の数を増大させることに関し、鍵穴をピッキングすること及びキーを無断で複製することに対する高いセキュリティに対する耐性が改善された。
【００１７】
図６から図９に示されているように、本願発明に従い、アンダーカットの変更においてさらなる改善が存在する。この変更は、細長いポケット状の構成１３５を形成するように、溝１２２（図７）のアンダーカット部最も内側の部分の拡張または延在を備えている。これらの図面において、キーに関連する全ての参照番号は、図５において付与されている番号の前に“１”の数字が補足されているが、図５に示されているものに対応する。
【００１８】
変更されたアンダーカットされた溝１２２の、下方に延在するポケット状の構成１３５は、（この特定の実施形態では）断面において実質的に長方形であり、対向する側壁１３２と１３３は互いに平行であり、かつ最も低い横端壁１３４は、キーブレードの低い端面１２７に対して平行であり、かつキーブレードの中央平面Ａの方向において上方に面している。
【００１９】
対向する側壁１３３は、キーブレードの側壁１２３に対して平行にリッジ部１２８の内壁を形成するのに対して、ポケット状の延在部分１３５の最奥部の側壁１３２は、アンダーカット溝の内壁１２４に連結しているが、段差１３６を形成するように僅かに内方にずれている（溝開口から離れている）。従って、面１２３，１３３および１３２は、実質的に互いに平行である。
【００２０】
キーブレードの中央面Ａに対して平行に測定すると、リッジ部１２８は、従来の構成（図５）より若干長い。より詳しくは、リッジ部１２８は、垂直な寸法ｈを有し、それはアンダーカット溝１２２の最も小さい幅ｗの１／２以上であり、この最も小さい幅は長手方向の溝１２２の内壁１２４上に垂直の突出部として測定されている。リッジ部１２８の垂直の寸法ｈは、最も低い横端壁１３４とキーブレードの低縁面１２７との間の距離ｄよりも大きい。
【００２１】
この構造は数個の理由のための利点であり：
幅、深さ（平面Ａにおける）及びポケット状の形状の長手方向への延在を変化させることにより、外形状は大幅に変化させることができ、
対向する外側壁部１３２，１３３のため、形状溝１２２のアンダーカット部の合計幅は横方向に制限された領域に適合されることができ、その結果、キーブレードの合計幅は、かなり小さく保たれ得る。新たなキーブレードの合計幅がほぼ同一であるということは、図５および図７に表されている。
キーウェイ（図８および図９）の側壁で細長リブ１５０の一側壁を形成することが可能な対応する舌部はより強くあり、かつ従来技術の構造と同様に先鋭または鋭利な端部を持たなくとも良い（図４と比較）。
溝１２２のアンダーカット部の中のポケット状の延在１３５は、カッターディスクのみを使用することでは不十分であるので、そのようなキーの複製をより一層困難にしている。通常は、他の工具も使用する必要がある。
【００２２】
したがって、そのようなキーブランクを製造することは、専門の製造業者以外のものにとっては困難になるであろう。
【００２３】
リッジ部１２８の相対的に長い垂直方向の延在は、キーブレードの中央平面Ａと平行に、リッジ部においてかなり深い凹所を切削することを可能にするであろう。従って、図１〜５の従来の実施形態と同様に、この重要な領域におけるコード凹所の多くの垂直方向のレベルを提供することが可能である（図６参照）。勿論、これは非常に多数のコードの組合せを有する鍵穴およびキーシステムも促進するであろう。
【００２４】
図８および図９には、回転可能なキープラグ１１２における円筒状の空洞に案内されるサイドロックタンブラー１０５を有する実施形態がある。原理的には、その配列は特許文献３および特許文献１に開示されたものと同様である。
【００２５】
先の従来技術の実施形態（図５）に対応する部分は、図５に示されている数の前に“１”の数字と共に同一の参照符号が付与されている。
【００２６】
従って、サイドタンブラー１０５は円柱軸の周囲に回転可能であり、突出するフィンガー１０５ａがキーブレード（図６参照）の側面上の波状のコード面に追従するとき、リッジ部１２８（図７参照）においてこのケースでは、垂直方向に突出するフィンガー１０５ａが前後に旋回するであろう。サイドタンブラー１０５が正しく位置決めされたとき、円筒面における凹所１０５ｂは、サイドバー１０８（図９）における対応する突出部１０８ａと共に位置合わせされるであろう。このようにして、サイドバーは、キープラグ１１２の回転を許容するように、内側に向けて径方向に移動するであろう。
【００２７】
サイドタンブラー１０５における突出フィンガー１０５ａは、前後に旋廻し、かつ垂直方向への昇降も行いつつ、図６に示すように、キーブレード１２０の側面上の波状コードパターンに接触するであろう。キーブレードが十分に挿入されるとき、種々のサイドタンブラー突出部１０５ａが凹面１０２ａ，１０２ｂ，１０２ｃ，１０２ｄ，１０２ｅおよび場合によっては、最上位の追加のコードレベルで上位のコード面部１０２ｆ上へも配置されるであろう。そのような上位である追加のコードレベルは、特許文献４に開示されている。
【００２８】
形状溝のアンダーカット部の均一でより深いポケット状の延在１３５を、キーブレードの中央垂直面Ａに対して平行に提供することが可能である。それからリッジ部１３３（図６および図７参照）における可能なコードレベルの数が、従来の構造におけるよりも大きいであろう。
【００２９】
なお、ポケット状の延在１３５を伴うアンダーカット溝１２２の新たな形状は、サイドタンブラー１０５を持たなかったとしても有効である。その結果、リッジ部は基本的に連続し、どのような切り込みまたはコードももっていない。
【００３０】
同様に、仮に少なくとも１つのサイドタンブラーが使用されたならば、それは回転可能である必要はないが、昇降移動のためだけに案内され得る。さらに、サイドタンブラーは、回転に抗してキープラグを係止するための係止手段として作用する必要はない。代わりにそれは、不正確にカットされたキーが完全に錠１０のキーウェイ１３へ挿入されるのを防ぐ遮断要素としてだけ作用する。そのような遮断要素は、本出願の最も早い優先日と同日に、同一の出願人によって出願されている特許出願において開示されている。
【００３１】
長手方向に延在しているポケットの正確な構成または形状は、本発明の範囲内で種々の方法で変更されても良い。図１０において、長手形状の溝１２２の内壁１２４は、なんらの工程なしに（図７の１３６）、ポケット状の構成１３５の隣接している側壁１３２に対してスムーズに結合する。
【００３２】
図１１において、ポケット状の構成１３５は、図７における１つと同様であるが、最下方の横端壁１３４’は、円形または湾曲形状である。
【００３３】
図１２に示される実施形態は、図１１における１つと同様であるが、最下方の横端壁１３４’’は、短く（但し湾曲している）、そして溝の内壁１２４は、隣接する側壁１３２にスムーズに結合する（図１０のように）。
【００３４】
図１３において、ポケット状の形状１３５’は、円形断面へと変更されている。従って、この実施形態では、側壁１３２,１３３および最下方の端壁１３４は全て、互いに結合されている円弧のように形成されている。
【００３５】
図１４に示される実施形態は、図１０に示されるものに似ているが、内壁１２４に隣接する側壁１３２には、断面長方形の細長い凹所１３２ａが設けられている。
【００３６】
図１５の実施形態は、図１４のものと同様であるが、細長い凹所１３２ａと対向して、側壁１３３に細長い凹所１３３ａがある。
【００３７】
図１６における実施形態は、図１５に示すものと同様であるが、細長い凹所１３２ａに対向して細長いリブ１３３(凹所１３３ａに代えて)があります。
【００３８】
図１７に示される変形された実施形態は、側壁１３３および１３２および最下方の端壁１３４に一部円形の断面を有する相対的に小さい細長い凹所１３２ｃ，１３３ｃ，１３４ｃをそれぞれ備えている。これらの部分的円形凹部を除き、この実施形態は、図７に示されるものに対応する。
【００３９】
図１４ないし図１７の実施形態は、対向する側壁部と細長いポケットの最下位の横端壁には、不規則な面部が設けられている。
【００４０】
図１８および図１９に示される実施形態では、キーブレード１２０’は、相対的に広い下部１４０’と、相対的に狭い上部１４１’との間の遷移領域に棚または段部面(step surface)１４２’がある。両実施形態において、長手形状の溝１２２’は、この棚面１４２’に隣接して配置されている。図１０ないし図１７に示される他の実施形態におけるように、長手方向のアンダーカット溝１２２’は、その側壁部１２６’に隣接して、ポケット状の構成１３５’へと延在している。示される実施形態において、これらのポケット状の構成は、実質的に長方形であるが、それらは、好ましくは不規則なまたは望む形状に、例えば先の実施形態に示したように、形成しても良い。図１８において、側壁１３２’は、アンダーカット溝１２２’の内壁１２４’にスムーズに結合し、さらに後段が段１４４’を介してキーブレードの相対的に狭い部分１４１’である上部の結合した側壁１４３’接合する。一方、図１９において、そのような段１４４’がなく、側壁１４３’は全て共通する側面にスムーズに結合されている。
【００４１】
図２０に示されるキーブレード１２０’’は、図１０ないし図１９に示されるキーブレードの下方部１４０，１４０’に一致するまたは同様の下方部１５０’’と、下方部１５０’’と一致するが上下が転倒する上方部１５１’’とから成っている。このように、キーブレード１５０’’，１５１は、いずれにしても結合されたキーホールへと挿入されることができ、図２０に示されるように、どちらかが、上下に折り返される（その外形は下方部と上方部とが対称であるため、正確に同一である。）。
【００４２】
最後に、図２１ないし図２９は、図１０ないし図１８に示されるものと同様である。従って、リッジ部２２８の上方部が均一な厚さであり、かつ内側２２６がキーブレードの中央平面に対して平行であることを除いて、キー３２１ないし３２９は、それぞれ図１０ないし図１８に示されるものに対応する断面形状を有している。
【００４３】
最も低い横端壁２３４が平坦であることを除いて、図３０は図２０に対応し、図３１は図１１および図２２に対応する。
【００４４】
前述の全ての実施形態および添付の請求項において、長手方向のアンダーカット溝１２２，１２２’，１２２’’の内壁１２４はキーブレードの中央平面Ａおよび側面１２３，１２３’，１２３’’に対して実質的に平行であると見なされる。この定義内で、内壁は中央平面Ａに対して小さい角度となるように方向付けられることが可能であり、この角度は通常、せいぜい１５°である。
【００４５】
長手方向に延在しているポケットは、キーブレードの長さより短く、かつ１つの部分のみに沿って延在しても良い。
【００４６】
同様に、キープラグにおいて細長い外形のリブは、中断されていたり、あるいはまたキープラグに搭載されている一つ以上の分割要素として形成されていたりしてもよい。
【図１】
0005296891.tif 000002
【図２】
0005296891.tif 000003
【図３】
0005296891.tif 000004
【図４】
0005296891.tif 000005
【図５】
0005296891.tif 000006
【図６】
0005296891.tif 000007
【図７】
0005296891.tif 000008
【図８】
0005296891.tif 000009
【図９】
0005296891.tif 000010
【図１０】
0005296891.tif 000011
【図１１】
0005296891.tif 000012
【図１２】
0005296891.tif 000013
【図１３】
0005296891.tif 000014
【図１４】
0005296891.tif 000015
【図１５】
0005296891.tif 000016
【図１６】
0005296891.tif 000017
【図１７】
0005296891.tif 000018
【図１８】
0005296891.tif 000019
【図１９】
0005296891.tif 000020
【図２０】
0005296891.tif 000021
【図２１】
0005296891.tif 000022
【図２２】
0005296891.tif 000023
【図２３】
0005296891.tif 000024
【図２４】
0005296891.tif 000025
【図２５】
0005296891.tif 000026
【図２６】
0005296891.tif 000027
【図２７】
0005296891.tif 000028
【図２８】
0005296891.tif 000029
【図２９】
0005296891.tif 000030
【図３０】
0005296891.tif 000031
【図３１】
0005296891.tif 000032